(57)【要約】【課題】シングル受信からダイバシティ受信への切替えを短時間に、スムーズに行う。【解決手段】ＯＦＤＭデジタル放送信号の受信中に、受信の安定した場所でのシングル受信から受信の不安定な場所でのダイバシティ受信に切替わった場合において、チューナ部３１、３２とＡＧＣ制御部３３の間に設けられた受信品質制御部２２から出力されるＡＧＣ制御信号により、シングル受信として用いた動作中のチューナ部の中間周波増幅器のＡＧＣ用入力と同じ電圧を非動作中の他方のチューナ部の中間周波増幅器のＡＧＣ用入力に一定時間だけ供給する。【選択図】図１
2006352210.tif 000002
【特許請求の範囲】
【請求項１】
第１のチューナ部と第２のチューナ部とが並列に設けられるとともにダイバシティ制御されるチューナ受信部であって、前記第１、第２のチューナ部は、ＯＦＤＭデジタル放送信号が供給される第１、第２のアンテナ入力端子と、これら第１、第２のアンテナ入力端子からの信号が夫々一方の入力に供給される第１、第２の混合器と、これら第１、第２の混合器の他方の入力に夫々供給される第１、第２の発振器と、前記第１、第２の混合器からの出力が夫々供給される第１、第２のフィルタと、これら第１、第２のフィルタからの出力が夫々供給されるとともに利得制御用入力（以下ＡＧＣ用入力という）を有する第１、第２の中間周波増幅器と、これら第１、第２の中間周波増幅器の出力と前記ＡＧＣ用入力との間に夫々設けられるとともに利得制御電圧（以下ＡＧＣ電圧という）を出力する第１、第２の利得制御器と、前記第１、第２の中間周波増幅器からの出力が夫々供給される第１、第２のチューナ出力端子とを備え、前記第１、第２のチューナ出力端子が夫々接続された受信品質制御部を介してＡＧＣ制御信号が入力されるとともにその出力が前記第１、第２のＡＧＣ用入力に夫々接続されたＡＧＣ制御部を設け、このＡＧＣ制御部は、前記受信品質制御部から出力される前記ＡＧＣ制御信号に基づいて、シングル受信時に動作中となっていた前記一方のチューナの前記ＡＧＣ電圧を、シングル受信時には非動作となっていた他方のチューナの前記ＡＧＣ用入力へ一定時間供給するチューナ受信部。
【請求項２】
ＡＧＣ制御部は、第１、第２のＡＧＣ用端子の間を電子スイッチと抵抗の直列接続体で接続するとともに、受信品質制御部からの信号で前記電子スイッチをオン・オフ制御する請求項１に記載のチューナ受信部。
【請求項３】
ＡＧＣ制御部は、第１、第２のＡＧＣ用端子の間を電子スイッチと高インピーダンスの同電圧伝達回路の直列接続体で接続するとともに、受信品質制御部からの信号で前記電子スイッチをオン・オフ制御する請求項１に記載のチューナ受信部。
【請求項４】
第１、第２の混合器は、ダイレクトコンバージョンとした請求項１に記載のチューナ受信部。
【請求項５】
第１、第２のフィルタと第１、第２の中間周波増幅器との間に利得制御の可能な第３、第４の中間周波増幅器を夫々設けた請求項１に記載のチューナ受信部。
【請求項６】
請求項１に記載のチューナ受信部と、このチューナ受信部の出力に接続された受信品質制御部とから成るデジタル信号受信装置であって、前記受信品質制御部は、前記チューナ受信部の第１、第２のチューナ部からの出力が夫々供給されるとともにＯＦＤＭデジタル放送信号を復調する第１、第２のデジタル復調部と、これら第１、第２のデジタル復調部からの復調信号が夫々供給されるとともにサブキャリアの信号品質が検出されるサブキャリア検出器と、このサブキャリア検出器の出力が供給される出力端子と、前記サブキャリア検出器から出力されるサブキャリア信号品質が入力されるとともにＡＧＣ制御信号が出力されるダイバ制御部とを設け、前記サブキャリア検出器から出力されるサブキャリア信号品質が劣化した場合には、前記ダイバ制御部はシングル受信からダイバシティ受信にする旨のＡＧＣ制御信号を出力するデジタル信号受信装置。
【請求項７】
サブキャリア検出器の出力と出力端子との間に、誤り訂正部を設けるとともに前記誤り訂正部の出力とダイバ制御部との間に誤り訂正率（以下ＢＥＲという）判定器を設け、前記ＢＥＲ判定器から出力される判定信号に基づいてＡＧＣ制御部を制御する請求項６に記載のデジタル信号受信装置。
【請求項８】
ＢＥＲ判定器の基準値を外部から入力できる基準値入力端子が設けられた請求項７に記載のデジタル信号受信装置。
【発明の詳細な説明】
【技術分野】
【０００１】
本発明は、ダイバシティアンテナを用いたチューナ受信部とこれを用いたデジタル信号受信装置に関するものである。
【背景技術】
【０００２】
以下、従来のデジタル信号受信装置について図６を用いて説明する。図６において、デジタル信号受信装置１は、チューナ受信部２と、受信品質制御部３から構成されている。この受信品質制御部３は、デジタル復調部８、９、ダイバシティ部１０、誤り訂正部１１、ダイバ制御部１３とから構成されている。
【０００３】
チューナ受信部２は、アンテナ４、５がそれぞれ入力されるチューナ部６、７とから構成されている。これらのチューナ部６、７には、入力される信号レベルが低い場合に利得制御が行われる中間周波増幅器６ａ、７ａが含まれている。
【０００４】
また、チューナ部６、７の出力は、デジタル復調部８、９にそれぞれ接続されている。これらデジタル復調部８、９の出力は、ダイバシティ部１０にそれぞれ別々に入力されている。このダイバシティ部１０の出力は、誤り訂正部１１に入力されている。この誤り訂正部１１から出力される信号は、出力端子１２に接続されている。そして、ダイバシティ部１０と誤り訂正部１１の間には、チューナ部６、７への電源供給が制御されるダイバ制御部１３が接続されている。
【０００５】
以上のように構成されたデジタル信号受信装置１について、以下にその動作を説明する。アンテナ４、５から入力されるＯＦＤＭデジタル放送信号は、それぞれのチューナ部６、７に供給されて、一定の信号レベルに制御されるとともにあらかじめ決められた周波数に変換された後、それぞれデジタル復調部８、９に入力されて復調される。これらデジタル復調部８、９から出力されるそれぞれの復調信号は、ダイバシティ部１０に別々に入力される。
【０００６】
このダイバシティ部１０では、デジタル信号を構成するサブキャリア信号が検出され、このサブキャリア検出信号がダイバ制御部１３に供給される。このダイバ制御部１３は、サブキャリア検出信号が良好な場合には、一方のチューナ部とデジタル復調部を用いてシングル受信を選択する。また、サブキャリア検出信号の悪い場合にはすべてのチューナとデジタル復調部を用いてダイバシティ受信を選択する。
【０００７】
従って例えば、受信品質のよい地域でＯＦＤＭデジタル放送信号を受信する場合には、シングル受信として用いることにより、消費電力を低減することができる。
【０００８】
なお、この出願の発明に関連する先行技術文献情報としては、例えば、特許文献１が知られている。
【特許文献１】特開２００１−１５６７３８号公報
【発明の開示】
【発明が解決しようとする課題】
【０００９】
このような従来のデジタル信号受信装置においては、入力信号レベルが例えば−９０ｄＢｍ以下の受信品質の悪い地域で受信する場合には、ダイバ制御部１３からの信号により、シングル受信からダイバシティ受信に切替えて使用することになる。すなわち、シングル受信で非動作とされていた他方のチューナ部およびデジタル復調部には共に電源が供給され、さらに選局データによって選局されたのち、他方のチューナ部においても利得制御の動作が行われることになる。
【００１０】
ところが、−９０ｄＢｍ以下の入力信号を受信する場合には、チューナ部に設けられた中間周波増幅器６ａまたは７ａにおいて利得制御の動作が行われる。この中間周波増幅器６ａまたは７ａでの利得制御の動作は、開始から完了するまでに例えば５０ｍｓｅｃ程度の長い時間を必要とした。従って、動作状態となったチューナ部の出力端子から安定した信号を出力するまでの時間が長くなり、シングル受信からダイバシティ受信への切替えを短時間にスムーズに行うことができなかった。
【００１１】
そこで本発明は、このような問題を解決したもので、シングル受信からダイバシティ受信への切替えを短時間に、スムーズに行うことを目的としたものである。
【課題を解決するための手段】
【００１２】
この目的を達成するために本発明のチューナ受信部は、第１、第２のチューナ出力端子が夫々接続された受信品質制御部を介してＡＧＣ制御信号が入力されるとともにその出力が第１、第２のＡＧＣ用入力に夫々接続されたＡＧＣ制御部を設け、このＡＧＣ制御部は、前記受信品質制御部から出力されるＡＧＣ制御信号に基づいて、シングル受信時に動作中となっていた前記一方のチューナのＡＧＣ電圧を、シングル受信時には非動作となっていた他方のチューナの前記ＡＧＣ用入力へ一定時間供給するものである。これにより、所期の目的を達成することができる。
【発明の効果】
【００１３】
以上のように、本発明のチューナ受信部は、第１、第２のチューナ出力端子が夫々接続された受信品質制御部を介してＡＧＣ制御信号が入力されるとともにその出力が第１、第２のＡＧＣ用入力に夫々接続されたＡＧＣ制御部を設け、このＡＧＣ制御部は、前記受信品質制御部から出力されるＡＧＣ制御信号に基づいて、シングル受信時に動作中となっていた一方のチューナのＡＧＣ電圧を、シングル受信時には非動作となっていた他方のチューナの前記ＡＧＣ用入力へ一定時間供給するものである。
【００１４】
これにより、ＯＦＤＭデジタル放送信号を受信中に、受信の安定した場所から受信の不安定な場所に移動した場合でも、受信品質制御部から出力されるＡＧＣ制御信号に基づいて、シングル受信時に動作中となっていた一方のチューナのＡＧＣ電圧を、シングル受信時には非動作となっていた他方のチューナのＡＧＣ用入力へ一定時間供給するので、始めからＡＧＣ電圧を生成する時間が短縮されることになり、シングル受信からダイバシティ受信への切替えを短時間にスムーズに行うことが可能となる。
【発明を実施するための最良の形態】
【００１５】
（実施の形態１）
図１は、本発明の実施の形態１におけるデジタル信号受信装置のブロック図である。このデジタル信号受信装置２０は、チューナ受信部２１と受信品質制御部２２とから構成されている。
【００１６】
図１において、チューナ受信部２１には、チューナ部３１、３２と、チューナ部３１、３２の間に接続されたＡＧＣ制御部３３が設けられている。チューナ部３１には、アンテナ３７が接続されたアンテナ入力端子３５からチューナ出力端子３９に向かって順に、高周波増幅器５１、混合器５２、中間周波フィルタ５３、中間周波増幅器５４が設けられている。また、混合器５２の他方の入力には発振器５５の出力が接続されている。
【００１７】
そして、混合器５２の出力と高周波増幅器５１に設けられたＡＧＣ用入力５１ａの間には、利得制御するための利得制御器５６が接続されている。また、ＡＧＣ用入力５１ａとグランド間には平滑用のコンデンサ５６ａが接続されている。
【００１８】
さらに、中間周波増幅器５４の出力とこの中間周波増幅器５４に設けられたＡＧＣ用入力５４ａの間にも、利得制御するための利得制御器５７が接続されている。同様にＡＧＣ用入力５４ａとグランド間には平滑用のコンデンサ５８が接続されている。
【００１９】
また、チューナ部３１と同様に、チューナ部３２には、アンテナ３８が接続されたアンテナ入力端子３６からチューナ出力端子４０に向かって順に、高周波増幅器６１、混合器６２、中間周波フィルタ６３、中間周波増幅器６４が設けられている。この混合器６２の他方の入力には発振器６５の出力が接続されている。
【００２０】
そして、混合器６２の出力と、高周波増幅器６１に設けられたＡＧＣ用入力６１ａとの間には、利得制御器６６が接続されている。また、ＡＧＣ用入力６１ａとグランド間にも平滑用のコンデンサ６６ａが接続されている。
【００２１】
さらに、中間周波増幅器６４の出力とこの中間周波増幅器６４に設けられたＡＧＣ用入力６４ａの間にも、利得制御するための利得制御器６７が接続されている。同様にＡＧＣ用入力６４ａとグランド間には平滑用のコンデンサ６８が接続されている。
【００２２】
そして、ＡＧＣ用入力５４ａ、６４ａは、チューナ部３１、３２に設けられたＡＧＣ用端子３１ａ、３２ａにそれぞれ接続されている。これらＡＧＣ用端子３１ａ、３２ａは、ＡＧＣ制御部３３の端子３３ａ、３３ｂにそれぞれ接続されている。さらに、ＡＧＣ制御部３３には、ＡＧＣ制御信号が入力されるＡＧＣ制御端子３３ｃが設けられている。
【００２３】
次に、受信品質制御部２２は、デジタル復調部４２、４３と、ダイバシティ部４４と、誤り訂正部４５と、ダイバ制御部４６とから構成されている。
【００２４】
デジタル復調部４２、４３の入力端子４２ａ、４３ａには、チューナ出力端子３９、４０がそれぞれ接続されている。これらデジタル復調部４２、４３の出力端子４２ｂ、４３ｂは、ダイバシティ部４４の入力端子４４ａ、４４ｂにそれぞれ接続されている。
【００２５】
このダイバシティ部４４には、入力端子４４ａと４４ｂとの間に接続されたサブキャリア検出器８１と、入力端子４４ａ、４４ｂが夫々接続されたサブキャリア選択・合成器８２が設けられている。また、サブキャリア検出器８１の出力８１ａは、サブキャリア選択・合成器８２の入力８２ａに接続されている。そして、サブキャリア選択・合成器８２の出力は、ダイバシティ部４４の出力端子４４ｃを介して誤り訂正部４５の入力端子４５ａに接続されている。
【００２６】
この誤り訂正部４５には、入力端子４５ａから誤り訂正された信号が出力される出力端子４５ｂに向かって順にＯＦＤＭフレーム構成８３、デインターリーブ８４、誤り訂正８５が設けられている。
【００２７】
この誤り訂正８５から出力されるＢＥＲ信号は、ＢＥＲ判定器８６の一方の入力８６ａに入力され、他方の入力８６ｂにはＢＥＲ基準用入力端子８６ｃからは外部から基準信号が入力される。
【００２８】
次にこれら全体を制御するダイバ制御部４６について説明する。このダイバ制御部４６に設けられた入力４６ａには、サブキャリア検出器８１の出力８１ｂからのサブキャリア検出信号が入力される。また、入力４６ｂ、４６ｃには、ＡＧＣ制御部３３の端子３３ａ、３３ｂがそれぞれ接続されている。
【００２９】
さらに、出力４６ｄから出力されるＡＧＣ制御信号は、ＡＧＣ制御部３３のＡＧＣ制御端子３３ｃに入力されている。さらに、電源電圧が供給される出力４６ｅは、チューナ部３１の電源入力３１ｂおよびデジタル復調部４２の電源入力４２ｃに接続されており、４６ｆからは、チューナ部３２の電源入力３２ｂおよびデジタル復調部４３の電源入力４３ｃに接続されている。
【００３０】
以上のように構成されたデジタル信号受信装置２０を用いてシングル受信またはダイバシティ受信を行う場合のダイバ制御部４６によるＡＧＣ制御部３３の動作について、以下説明する。
【００３１】
なお、シングル受信とは、チューナ部３１、デジタル復調部４２または、チューナ部３２、デジタル復調部４３のいずれか一方を用いて受信するものである。また、ダイバシティ受信とは、チューナ部３１、３２およびデジタル復調部４２、４３の双方を用い、これらデジタル復調部４２、４３からの復調信号をダイバシティ部４４で合成して受信するものである。なお説明の都合上、シングル受信として用いるいずれか一方のチューナ部とデジタル復調部を、チューナ部３１、デジタル復調部４２として以下説明する。
【００３２】
先ず第１の状態として、受信開始時について説明する。この受信開始時には受信品質が不明であるので、受信品質の良いダイバシティ受信を選択する。ダイバ制御部４６の出力４６ｅからの電源電圧が、チューナ部３１、デジタル復調部４２に供給される。また、ダイバ制御部４６の出力４６ｆからの電源電圧が、チューナ部３２、デジタル復調部４３にも供給される。これにより、チューナ部３１、３２およびデジタル復調部４２、４３共に電圧が供給される。そして、チューナ部３１、３２に同じ選局データが送出されて受信動作が開始される。
【００３３】
また、ダイバ制御部４６の出力４６ｄからのＡＧＣ制御信号により、ＡＧＣ制御部３３の端子３３ａ、３３ｂ間は互いに開放状態となっている。従って、中間周波増幅器５４、６４のＡＧＣ用入力５４ａ、６４ａのそれぞれのＡＧＣ電圧は、互いに影響しないものとなる。
【００３４】
そして、アンテナ３７から入力されたＯＦＤＭデジタル放送信号は、チューナ部３１のアンテナ入力端子３５を介して高周波増幅器５１に入力される。この高周波増幅器５１では、利得制御器５６により混合器５２からの出力レベルが一定レベルになるように利得制御が行われる。
【００３５】
また、この高周波増幅器５１からの出力信号と、発振器５５の出力は共に混合器５２に入力される。この混合器５２から出力される中間周波信号は、中間周波フィルタ５３により妨害信号が抑圧される。この中間周波フィルタ５３からの出力信号は、中間周波増幅器５４に入力される。この中間周波増幅器５４では、利得制御器５７により中間周波増幅器５４の出力レベルが一定になるように利得制御が行われたのち、チューナ出力端子３９から出力される。
【００３６】
同様に、アンテナ３８から入力されたＯＦＤＭデジタル放送信号は、チューナ部３２のアンテナ入力端子３６を介して高周波増幅器６１に入力される。この高周波増幅器６１では、利得制御器６６により混合器６２からの出力レベルが一定レベルになるように利得制御が行われる。
【００３７】
また、この高周波増幅器６１からの出力信号は、発振器６５の出力と共に混合器６２に入力される。この混合器６２から出力される中間周波信号は、中間周波フィルタ６３により妨害信号が抑圧される。この中間周波フィルタ６３からの出力信号は、中間周波増幅器６４に入力される。この中間周波増幅器６４では、利得制御器６７により中間周波増幅器６４の出力レベルが一定になるように利得制御が行われたのち、チューナ出力端子４０から出力される。
【００３８】
そして、チューナ出力端子３９、４０から出力される中間周波信号は、入力端子４２ａ、４３ａを介してデジタル復調部４２、４３にそれぞれ入力される。このデジタル復調部４２、４３の出力端子４２ｂ、４３ｂからは、デジタル化された復調信号がそれぞれ出力される。
【００３９】
さらに、これらデジタル復調信号は、ダイバシティ部４４の入力端子４４ａ、４４ｂを介してそれぞれ入力される。このダイバシティ部４４では、サブキャリア検出器８１において２つの復調信号に含まれるサブキャリアの信号品質が検出される。この検出された信号品質情報に基づいて、それぞれのサブキャリアに対する重み付け係数が算出される。この重み付け係数は、サブキャリア検出器８１の出力８１ａからサブキャリア選択・合成器８２の入力８２ａに入力される。
【００４０】
さらに、それぞれのサブキャリアは、サブキャリア選択・合成器８２において、重み付け係数が乗算されることによって合成されたサブキャリア合成信号が出力端子４４ｃから出力される。このように合成された信号は、重み付け係数によってＣ／Ｎが最大で２倍改善される。
【００４１】
このサブキャリア合成信号は、誤り訂正部４５の入力端子４５ａを介してＯＦＤＭフレーム構成８３に入力される。このＯＦＤＭフレーム構成８３では、サブキャリアに分割・多重された信号からフレーム信号が作成される。このフレーム信号は、デインターリーブ８４に入力されて、元のデータへの並び替えが行われる。この元のデータへの並び替えが行われた信号は、誤り訂正８５により誤りが訂正されて出力端子４５ｂから誤り訂正された信号が出力される。
【００４２】
以上のように、受信開始時には受信品質が不明であるので、ダイバ制御部４６によってデジタル信号受信装置２０はダイバシティ受信に設定される。これにより、Ｃ／Ｎが最大で２倍改善された誤り訂正された信号が出力されて、受信品質が改善される。
【００４３】
次に第２の状態として、ダイバシティ受信での受信品質が良好なときには、省電力化の目的でシングル受信に切替える動作について以下説明する。なお、シングル受信に切替える場合に、チューナ部３１およびデジタル復調部４２を動作状態として用い、チューナ部３２およびデジタル復調部４３を非動作状態として説明する。
【００４４】
これはアンテナ入力端子３５、３６に入力されるＯＦＤＭデジタル放送信号レベルが例えば−９０ｄＢｍ以上の良好な場合である。この場合には、ダイバ制御部４６は、ＯＦＤＭデジタル放送信号レベルの大きさに応じて変化するＡＧＣ電圧が入力される入力４６ｂおよび４６ｃ、サブキャリア検出器８１の出力８１ｂから出力されるサブキャリア検出信号が入力される入力４６ａ、あるいはＢＥＲ判定器８６から出力されるＢＥＲの大きさに応じて判定信号が入力される入力４６ｇのうちの少なくともひとつを用いることにより、受信信号の品質情報を判定することが可能となる。
【００４５】
このように、ダイバシティ受信での受信品質が良好な場合には、ダイバ制御部４６の出力４６ｅから出力される電源電圧により、チューナ部３１、デジタル復調部４２は動作状態が継続される。さらに、ダイバ制御部４６の出力４６ｆから出力される電源電圧により、チューナ部３２、デジタル復調部４３は、動作状態から非動作状態とされる。
【００４６】
このとき、ダイバ制御部４６の出力４６ｄからのＡＧＣ制御信号によって、ＡＧＣ制御部３３の端子３３ａと端子３３ｂは、共に開放状態とされている。これにより、中間周波増幅器５４、６４のＡＧＣ電圧は互いに影響を受けない。
【００４７】
また、一方のチューナ部３１とデジタル復調部４２のみに電源電圧が供給されているので、サブキャリア検出器８１には、入力端子４４ａからの復調信号のみが入力され、入力端子４４ｂからは復調信号が入力されていない。従って、サブキャリア選択・合成器８２では、サブキャリア検出器８１からの信号品質情報に基づいて、入力端子４４ａから入力された復調信号が選択されたのち出力端子４４ｃへ出力される。このサブキャリア選択・合成器８２からの出力信号は、誤り訂正部４５の入力端子４５ａに入力され、出力端子４５ｂから誤り訂正された信号が出力される。
【００４８】
以上のように、ダイバシティ受信での受信中に、ダイバ制御部４６が良好な受信品質であると判定した場合には、ダイバ制御部４６がダイバシティ受信からシングル受信に切替える。これにより、チューナ部３１、デジタル復調部４２またはチューナ部３２、デジタル復調部４３のいずれか一方を動作状態とし他方を非動作状態とできるので、消費電力の削減を図ることができる。
【００４９】
なお、シングル受信時に、非動作状態としたデジタル復調部を動作状態としてもよい。この場合、デジタル復調部４２、４３はともに動作状態となるので消費電力の削減が減るが、デジタル復調部における電源立ち上りからの動作時間が短縮されることになる。
【００５０】
次に第３の状態として、シングル受信中に受信品質が劣化した場合に、ダイバシティ受信に切替えて受信する動作について以下説明する。なお、シングル受信時は、例えばチューナ部３１、デジタル復調部４２を動作させ、チューナ部３２、デジタル復調部４３を非動作状態であった場合について説明する。
【００５１】
なお、受信品質が劣化する場合とは、アンテナ入力端子３５、３６に入力されるＯＦＤＭデジタル放送信号レベルが例えば−９０ｄＢｍ以下をいう。この場合には、入力されるＯＦＤＭデジタル放送信号のＣ／Ｎが劣化し、さらにデジタル信号受信装置２０の雑音指数によりＣ／Ｎが劣化し、さらに移動受信中におけるマルチパスの影響によりＣ／Ｎの劣化が発生する。これらのＣ／Ｎの劣化を改善するために、シングル受信からダイバシティ受信に切替えて、受信品質を改善する。
【００５２】
このようにシングル受信からダイバシティ受信に切替える動作は、受信開始時で用いたダイバシティ受信の動作とは、以下の点で異なる。すなわち、受信開始時のダイバシティ受信では、チューナ部３１、３２、デジタル復調部４２、４３のいずれも非動作状態からの動作状態であった。
【００５３】
これに対して、シングル受信からダイバシティ受信に切替える動作では、例えば一方のチューナ部３１とデジタル復調部４２を動作状態としたままで、他方のチューナ部３２とデジタル復調部４３を非動作状態から動作状態とするものである。この場合の非動作状態である中間周波増幅器６４のＡＧＣ電圧の変化を図２（ａ）、（ｂ）、（ｃ）により以下説明する。
【００５４】
図２（ａ）は、アンテナ入力端子への入力信号レベルに対する高周波増幅器、中間周波増幅器の利得制御量の特性図である。図２（ａ）において、１０１は、入力信号レベルである。１０２は、利得制御量（利得減少量）である。ＡＧＣ電圧１０３は、アンテナ入力端子３５または３６への入力信号レベルに対する高周波増幅器５１または６１での利得制御量である。ＡＧＣ電圧１０４は、アンテナ入力端子３５または３６への入力信号レベルに対する中間周波増幅器５４または６４での利得制御量である。
【００５５】
例えば、アンテナ入力端子３５、３６に入力信号レベル１０５（０ｄＢｍ）から１０６（−６０ｄＢｍ）の間の入力信号レベル１０７（−３０ｄＢｍ）が入力された場合には、高周波増幅器５１、６１では、ＡＧＣ電圧１０３によって利得制御量１０８が決定される。またこのとき、中間周波増幅器５４、６４では、ＡＧＣ電圧１０４によって最大の利得制御量である利得制御量１０９が決定される。
【００５６】
また、例えばアンテナ入力端子３５、３６に入力信号レベル１０６（−６０ｄＢｍ）から１０９（−１１０ｄＢｍ）の間の入力信号レベル１１０（−９０ｄＢｍ）の信号が入力された場合には、高周波増幅器５１、６１では、ＡＧＣ電圧１０３によって最小の利得制御量１１１が決定され、中間周波増幅器５４、６４では、ＡＧＣ電圧１０４によって利得制御量１１２が決定される。
【００５７】
このように、ＡＧＣ電圧１０３、１０４により利得制御が行われ、チューナ出力端子３９、４０からは、一定レベルの信号が出力される。
【００５８】
図２（ｂ）は、従来例におけるシングル受信からダイバシティ受信に切替えた場合における中間周波増幅器６４のＡＧＣ電圧の立ち上りの特性図である。ここで、シングル受信からダイバシティ受信に切替える場合を受信品質が急に劣化しはじめる入力信号レベルとして例えば−９０ｄＢｍ以下としている。また、この従来例とは、本実施の形態におけるＡＧＣ制御部３３の端子３３ａと端子３３ｂを共に開放して使用した状態と同じことである。
【００５９】
図２（ｂ）において、１２０は時間を表し、１２１は中間周波増幅器６４のＡＧＣ電圧を表している。また、ＡＧＣ電圧１２２は、ＡＧＣ制御部３３の端子３３ａと端子３３ｂを共に開放して使用した状態（従来例と同じ状態）における中間周波増幅器６４のＡＧＣ電圧のシングル受信からダイバシティ受信に切替える場合の立ち上り特性を表している。
【００６０】
すなわち、時間１２３以前では、シングル受信が選択されているので、ＡＧＣ電圧は０Ｖとなっている。ダイバシティ受信が選択される時間１２３では、チューナ部３２の電源入力３２ｂにダイバ制御部の出力４６ｆから電源電圧が供給され、ほぼ同時に選局データにより選局動作が開始される。この電源電圧が供給される時間１２３には、選局が完了していないため混合器６２からの出力信号が無い。このために中間周波増幅器６４のＡＧＣ電圧１２２は、最大利得であるＡＧＣ電圧値１２６となる。
【００６１】
このＡＧＣ電圧値１２６は、選局が終了する時間１２４には利得制御が開始され、時間１２５には所定値であるＡＧＣ電圧値１２７となってＡＧＣ動作が完了する。
【００６２】
この時間１２３と１２４との間の時間１２８は、選局動作完了の所要時間であり、約３ｍｓｅｃである。ところが、時間１２４と１２５との間の時間１２９は、中間周波増幅器６４のＡＧＣ動作が開始してから完了するまでの所要時間であり、約３０ｍｓｅｃである。これにより、チューナ部３２が非動作状態から動作状態への完了時間は、合計した３３ｍｓｅｃとなる。このようにシングル受信からダイバシティ受信への切替えの所要時間は、中間周波増幅器６４のＡＧＣ動作の時間１２９（３０ｍｓｅｃ）によってほぼ決定されることになる。
【００６３】
この中間周波増幅器６４のＡＧＣ動作の時間１２９は、ＡＧＣ用入力６４ａとグランド間に接続されたコンデンサ６８によって決定されている。このコンデンサ６８の容量は、中間周波増幅器６４のＡＧＣ動作を安定のために、１μＦとしている。すなわち、非動作状態から動作状態としたときには、コンデンサ６８への充電時間が生じるので、中間周波増幅器６４のＡＧＣ動作が安定するまでの時間１２９が必要となる。
【００６４】
なお、コンデンサ６８は、デジタル信号受信装置２０内のノイズ等、電源電圧の変動や高速移動時の受信信号の変動を吸収するために大きな容量値が望ましい。しかし、極度に大きな容量値とすると、長い充放電時間を必要とするので安定するまでの時間が長くなる。従って、最適な値の容量値にする必要がある。
【００６５】
図２（ｃ）は、実施の形態１における中間周波増幅器６４のＡＧＣ電圧の立ち上りの特性図である。ＡＧＣ電圧１４０は、シングル受信からダイバシティ受信に切替えた場合の中間周波増幅器６４のＡＧＣ電圧の立ち上り特性を示している。
【００６６】
図２（ｃ）において、時間１４３以前では、シングル受信が選択されているので、ＡＧＣ電圧１４０は０Ｖとなっている。ダイバシティ受信が選択される時間１４３以降では、チューナ部３２の電源入力３２ｂにダイバ制御部の出力４６ｆから電源電圧が供給され、ほぼ同時に選局データにより選局動作が開始される。そして、時間１４４において、選局が完了する。この時間１４３と１４４との間の時間１５０は、選局動作完了までの所要時間であり、従来例と同じ約３ｍｓｅｃである。
【００６７】
ところが、ダイバ制御部の出力４６ｄから出力されるＡＧＣ制御信号がＡＧＣ制御部３３の端子３３ｃに入力され、これにより、時間１４３において動作中の中間周波増幅器５４のＡＧＣ電圧とほぼ同じ電圧値が、中間周波増幅器６４のＡＧＣ用入力６４ａに供給される。
【００６８】
さらに、選局動作が完了するとともに（時間１４４において）、ダイバ制御部４６の出力４６ｄから出力されるＡＧＣ制御信号により、ＡＧＣ制御部３３の端子３３ａと端子３３ｂを開放状態とする。これにより、中間周波増幅器５４と６４のＡＧＣ電圧は、互いに影響を受けることがない。従って、中間周波増幅器６４のＡＧＣ電圧１４０は、時間１４５において完了し、所定値のＡＧＣ電圧値１２７へ瞬時に制御される。
【００６９】
この時間１４４と１４５との間の時間１５１は、ＡＧＣ電圧値１４２から１２７に微小変化するまでの所要時間である。この時間１５１は、約３ｍｓｅｃであり、従来例に比べて約１／１０の短い時間でＡＧＣ動作を完了することができる。
【００７０】
つまり、従来例では、選局時間３ｍｓｅｃとＡＧＣ電圧の安定時間３０ｍｓｅｃの合計時間３３ｍｓｅｃに対して、本実施の形態では、選局時間３ｍｓｅｃとＡＧＣ電圧の安定時間３ｍｓｅｃの合計時間６ｍｓｅｃと大幅に短縮できる。
【００７１】
以上のように、チューナ受信部２１は、ＯＦＤＭデジタル放送信号を受信中において、受信品質の安定した場所から受信品質の不安定な場所に移動した場合にシングル受信からダイバシティ受信に切替わったとしても、新たに設けたＡＧＣ制御部３３によりシングル受信していた一方のチューナ部３１の中間周波増幅器５４のＡＧＣ電圧と同じ大きさのＡＧＣ電圧を他方のチューナ部３２の中間周波増幅器６４のＡＧＣ用入力６４ａに一定時間だけＡＧＣ制御部３３を介して供給される。
【００７２】
これにより、シングル受信時に非動作状態にあったチューナ部３２の中間周波増幅器６４のＡＧＣ電圧が所定の電圧に到達する時間を短縮することができるので、ＡＧＣ電圧の立ち上り時間を大幅に短縮することができる。
【００７３】
従って、シングル受信からダイバシティ受信の切替えを短時間にスムーズに行うことができる。
【００７４】
なお、利得制御器５７、６７への入力は、デジタル復調部４２、４３の内の信号レベルを検出した利得制御電圧を用いてもよい。この場合には、デジタル復調部４２、４３内のフィルタにより妨害信号をさらに抑圧した希望信号レベルで利得制御できるので、中間周波増幅器５４、６４を最適に利得制御することができる。
【００７５】
さらに、シングル受信中において、動作状態のＡＧＣ電圧を非動作状態の中間周波増幅器のＡＧＣ用入力に供給してもよい。これにより、中間周波増幅器６４のＡＧＣ電圧１４０の立ち上り開始である時間１４４を時間１４３に近づけることができる。従って、シングル受信からダイバシティ受信への切替え時において、ＡＧＣ制御部３３を用いた切替えによる時間短縮の効果をさらに大きくできる。
【００７６】
また、ＢＥＲ判定器８６の一方の入力８６ａには、誤り訂正８５から出力されるＢＥＲ信号が入力され、他方の入力８６ｂにはＢＥＲ基準用入力端子８６ｃから基準信号を外部から入力することができる。従って、ＢＥＲ判定器８６への基準信号を任意の値に設定できるので、受信品質の判定基準を最適にすることができる。
【００７７】
さらに、本実施の形態のデジタル信号受信装置２０を移動用携帯機に搭載する場合には、アンテナ３７、３８の距離を十分に離して配置できない。このため、移動用携帯機に互いに近接して配置されたアンテナ３７、３８によるＯＦＤＭデジタル放送信号のレベルには、大きな差が生じにくいので、中間周波増幅器５４、６４のＡＧＣ電圧はほぼ同じ電圧となる。従って、シングル受信からダイバシティ受信への切替え時において、ＡＧＣ制御部３３を用いた切替えによる時間短縮の効果はさらに大きくなる。
【００７８】
なお、チューナ部３１、３２では、混合器５２、６２をシングルスーパとして用いたが、ダイレクトコンバージョンとして用いてもよい。すなわち、混合器５２をＩ、Ｑ信号用の２つの混合器とし、これらＩ、Ｑ信号用の混合器には、互いに９０度の位相差を持たせた発振器からの発振信号をそれぞれ入力する。
【００７９】
このように、ダイレクトコンバージョンとした場合には、ダイレクトコンバージョン以降の周波数が、Ｉ、Ｑ信号の低周波信号となる。つまり、低周波での信号処理となるので、集積化が容易となる。また、他の信号との干渉が発生しにくい。
【００８０】
（実施の形態２）
図３は、実施の形態１のＡＧＣ制御部３３の第１の具体例であり、ＡＧＣ制御部２０１として表している。図３の端子３３ａ、３３ｂ、３３ｃは、図１と同符号に接続される。
【００８１】
また、ＡＧＣ制御部２０１の端子３３ａと端子３３ｂの間には、電子スイッチ２０２と抵抗２０３が直列に接続されている。
【００８２】
図２（ｃ）のシングル受信とした時間１４３以前では、ダイバ制御部４６の出力４６ｄがＡＧＣ制御端子３３ｃに入力されることにより、電子スイッチ２０２は開放されている。これにより、端子３３ａと端子３３ｂとは開放されて互いに影響を受けない。
【００８３】
さらに、シングル受信からダイバシティ受信とした時間１４３以降では、チューナ部３２、デジタル復調部４３にも電源が供給されるとともに、チューナ部３２に選局データが入力される。また、時間１４３において、ダイバ制御部４６の出力４６ｄがＡＧＣ制御端子３３ｃに入力されることにより、電子スイッチ２０２が短絡される。これにより、中間周波増幅器５４のＡＧＣ電圧は、中間周波増幅器６４のＡＧＣ用入力６４ａに抵抗２０３を介して供給される。
【００８４】
そして直ぐに、時間１４４でＡＧＣ電圧から切り離されるので、短時間（約３ｍｓｅｃ）後の時間１４５で所定のＡＧＣ電圧値１２７となる。
【００８５】
以上のように、電子スイッチ２０２と抵抗２０３からなる簡単な回路構成を用いて、動作中の一方のチューナ部のＡＧＣ電圧を他方のチューナ部のＡＧＣ入力に伝達することができる。このことにより、一方のチューナ部およびデジタル復調部を用いたシングル受信から２つのチューナ部およびデジタル復調部を用いたダイバシティ受信に切替える場合の時間を大幅に短縮することができる。
【００８６】
なお、抵抗２０３の抵抗値は、例えば１ｋΩとしている。この抵抗２０３の抵抗値を適切に選ぶことにより、電子スイッチ２０２を短絡した場合に、ＡＧＣ用入力５４ａ、６４ａとの間で発生する充放電による電圧変動を互いに低減できる。
【００８７】
さらに、シングル受信時において、動作状態のＡＧＣ電圧を非動作状態の中間周波増幅器のＡＧＣ用入力に供給してもよい。これにより、中間周波増幅器６４のＡＧＣ電圧１４０の立ち上り開始である時間１４４を時間１４３に近づけることができる。従って、シングル受信からダイバシティ受信への切替え時において、ＡＧＣ制御部３３を用いた切替えによる時間短縮の効果をさらに大きくすることができる。
【００８８】
（実施の形態３）
図４は、実施の形態１のＡＧＣ制御部３３の第２の具体例であり、ＡＧＣ制御部２０４として表している。図４の端子３３ａ、３３ｂ、３３ｃは、図１と同符号に接続されている。
【００８９】
図４において、ＡＧＣ制御部２０４は、電子スイッチ２０５、２０６、および同電圧伝達回路２０７、２０８とから構成されている。そして、ＡＧＣ制御部２０４の端子３３ａは、電子スイッチ２０５の共通端子２０５ａに接続されている。また、電子スイッチ２０５には、切替え用に端子２０５ｂ、２０５ｃ、２０５ｄが設けられている。
【００９０】
また、電子スイッチ２０６には、切替え用に端子２０６ｂ、２０６ｃ、２０６ｄが設けられている。さらに、ＡＧＣ制御部２０４の端子３３ｂは、電子スイッチ２０６の共通端子２０６ａに接続されている。この端子２０５ｃ、２０６ｃには何も接続されてなく、開放状態としている。
【００９１】
さらに、電子スイッチ２０５の端子２０５ｂと電子スイッチ２０６の端子２０６ｂとの間には、入力された電圧と同じ電圧を出力する同電圧伝達回路２０７が接続されている。この同電圧伝達回路２０７はコレクタ接地の高インピーダンス回路で構成されているので、動作状態のチューナ部側の回路に影響を与えることなく、ＡＧＣ電圧を非動作状態のチューナ部側へ伝達することができる。
【００９２】
この同電圧伝達回路２０７は、端子２０５ｂに抵抗２１１を介してベースに接続されたトランジスタ２１２と、このトランジスタ２１２のエミッタとグランドとの間に接続された抵抗２１３とから構成されており、トランジスタ２１２のコネクタは電源に接続されるとともに、エミッタは端子２０６ｂに接続されている。
【００９３】
同様に、電子スイッチ２０６の端子２０６ｄと、電子スイッチ２０５の端子２０５ｄとの間にも、入力された電圧と同じ電圧を出力する同電圧伝達回路２０８が接続されている。この同電圧伝達回路２０８もコレクタ接地の高インピーダンス回路で構成されているので、ＡＧＣ電圧を動作状態のチューナ部側の回路に影響を与えることなく、ＡＧＣ電圧を非動作状態のチューナ部側へ伝達することができる。
【００９４】
また同電圧伝達回路２０８も、端子２０６ｄに抵抗２１５を介してベースに接続されたトランジスタ２１６と、このトランジスタ２１６のエミッタとグランドとの間に接続された抵抗２１７とから構成されており、トランジスタ２１６のコレクタは電源に接続されるとともに、エミッタは端子２０５ｄに接続されている。
【００９５】
このように構成されたＡＧＣ制御部２０４において、ＡＧＣ制御端子３３ｃからのＡＧＣ制御信号により電子スイッチ２０５、２０６を制御することによって、同電圧伝達回路２０７の導通状態と開放状態、或いは同電圧伝達回路２０８の導通状態と開放状態のいずれかひとつを選択することができる。
【００９６】
例えば、受信開始時とダイバシティ受信時には、開放状態を選択し、チューナ部３１、３２のそれぞれ中間周波増幅器５４、６４のＡＧＣ電圧同士が影響しないようにする。さらに、シングル受信からダイバシティ受信への切替え時には、チューナ部３１がシングル受信時の動作状態の場合には同電圧伝達回路２０７を導通とし、チューナ部３２がシングル受信時の動作状態の場合には同電圧伝達回路２０８を導通状態にする。
【００９７】
これにより、動作状態のチューナ部の中間周波増幅器のＡＧＣ電圧と同じ電圧が、非動作状態のチューナ部の中間周波増幅器のＡＧＣ入力に供給されることになる。
【００９８】
以上のように、本実施の形態のＡＧＣ制御部２０４を用いることにより、シングル受信からダイバシティ受信への切替において、動作状態にあるチューナ部３１の中間周波増幅器５４のＡＧＣ電圧と同じ電圧を非動作状態にあるチューナ部３２のＡＧＣ入力に供給し、瞬時に所定の電圧とすることができる。従って、非動作状態にあるチューナ部のＡＧＣ動作完了までの時間を、実施の形態２に比べてさらに大幅に短縮することができる。
【００９９】
また、ＡＧＣ制御部２０４の入力は高インピーダンス状態であり、動作状態にあるチューナ部のＡＧＣ電圧は、非動作状態にあるチューナ部のＡＧＣ電圧からの影響を受けることがないので、シングル受信からダイバシティ受信への安定した切替えが可能となる。
【０１００】
なお、シングル受信中において、ＡＧＣ制御部３３に電源供給を行い、動作状態のＡＧＣ電圧を非動作状態の中間周波増幅器のＡＧＣ用入力に供給してもよい。これにより、中間周波増幅器６４のＡＧＣ電圧１４０の立ち上り開始である時間１４４を時間１４３に近づけることができる。従って、シングル受信からダイバシティ受信への切替え時において、ＡＧＣ制御部３３を用いた切替えによる時間短縮の効果をさらに大きくできる。
【０１０１】
（実施の形態４）
図５は、本発明の実施の形態４におけるデジタル信号受信装置のブロック図である。なお、チューナ部３３１、３３２以外については、実施の形態１と同じであるので同一記号を用いて説明を簡略化している。
【０１０２】
実施の形態４のチューナ受信部３２１を構成するチューナ部３３１、３３２は、実施の形態１とは以下の点で相違する。すなわち、実施の形態１において中間周波フィルタ５３と中間周波増幅器５４との間に利得制御の可能な中間周波増幅器３３３が挿入されている。また、実施の形態１の中間周波フィルタ６３と中間周波増幅器６４との間にも中間周波増幅器３３４が挿入されている。
【０１０３】
そして、中間周波増幅器３３３、３３４の出力は、利得制御器３３５、３３６をそれぞれ介して、中間周波増幅器３３３、３３４に設けられたそれぞれのＡＧＣ用入力３３３ａ、３３４ａに接続されている。このそれぞれのＡＧＣ用入力３３３ａ、３３４ａとグランド間にはそれぞれ平滑用のコンデンサ３３７、３３８がそれぞれ接続されている。これにより、中間周波増幅器３３３、３３４は、それぞれの出力信号レベルが一定レベルになるように利得制御する。
【０１０４】
以上のように構成されたチューナ部３３１、３３２は、アンテナ入力端子３５、３６から入力される入力信号レベルが、大きなレベルから小さなレベルまで入力されたとしても、高周波増幅器５１、６１、中間周波増幅器３３３、３３４、中間周波増幅器５４、６４により広範囲の入力レベルに渡って十分に利得制御ができる。
【０１０５】
従って、デジタル復調部４２を始めとする各増幅器に最適な入力信号レベルを入力することができるので、受信感度が良く、かつ妨害信号に強いデジタル信号受信装置３２０を実現することができる。
【０１０６】
このように構成されたチューナ部３３１、３３２において、新たに設けたＡＧＣ制御部３３によりシングル受信として用いた一方のチューナ部３３１の中間周波増幅器５４のＡＧＣ電圧と同じ電圧を他方のチューナ部３３２の中間周波増幅器６４のＡＧＣ用入力６４ａに一定時間だけ供給する。
【０１０７】
これにより、例えばシングル受信時に非動作状態にあったチューナ部３３２の中間周波増幅器６４のＡＧＣ電圧が所定の電圧に到達する時間を短縮できるので、ＡＧＣ電圧の立ち上り時間を大幅に短縮できる。
【０１０８】
従って、シングル受信からダイバシティ受信の切替えを短時間にスムーズに行うことができる。
【０１０９】
また、ＡＧＣ制御部３３には、実施の形態２または３のＡＧＣ制御部２０１、２０４を用いることにより実施の形態１と同様の効果が得られる。
【０１１０】
なお、チューナ部３３１、３３２の中間周波増幅器３３３、３３４のＡＧＣ電圧を用いてもよい。この場合には、ＡＧＣ制御部３３の一方と、他方の端子３３ａ、３３ｂには、ＡＧＣ用入力３３３ａ、３３４ａをそれぞれ接続して用いる。
【産業上の利用可能性】
【０１１１】
本発明のチューナ受信部は、シングル受信からダイバシティ受信の切替えを短時間にスムーズに行うことができるので、移動用携帯機等に適用することができる。
【図面の簡単な説明】
【０１１２】
【図１】本発明の実施の形態１におけるデジタル信号受信装置のブロック図
【図２】（ａ）は、同、チューナ部の入力信号レベルに対する利得制御特性図、（ｂ）は、従来例のチューナ部の時間に対するＡＧＣ電圧特性図、（ｃ）は、本発明の実施の形態１におけるチューナ部の時間に対するＡＧＣ電圧特性図
【図３】本発明の実施の形態２におけるＡＧＣ制御部の回路図
【図４】本発明の実施の形態３におけるＡＧＣ制御部の回路図
【図５】本発明の実施の形態４におけるデジタル信号受信装置のブロック図
【図６】従来例におけるデジタル信号受信装置のブロック図
【符号の説明】
【０１１３】
２１  チューナ受信部
３１  チューナ部
３２  チューナ部
３３  ＡＧＣ制御部
３５  アンテナ入力端子
３６  アンテナ入力端子
３９  チューナ出力端子
４０  チューナ出力端子
５２  混合器
５３  フィルタ
５４  中間周波増幅器
５５  発振器
５７  利得制御器
６２  混合器
６３  フィルタ
６４  中間周波増幅器
６５  発振器
６７  利得制御器
【図１】
2006352210.tif 000003
【図２】
2006352210.tif 000004
【図３】
2006352210.tif 000005
【図４】
2006352210.tif 000006
【図５】
2006352210.tif 000007
【図６】
2006352210.tif 000008